(57)【特許請求の範囲】
【請求項１】
後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、
前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、
前記止め金具は、採光窓の外周に形成された前記段差部に採光板を押し付ける押さえ部を有し、当該押さえ部は前記段差部に収まる寸法に形成される
ことを特徴とする光電式自動点滅器。
【請求項２】
後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、
前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、前記カバーは、前記採光窓の上部前方を覆うひさし部を有し、
前記止め金具は、採光窓の外周に形成された前記段差部に採光板を押し付ける押さえ部を有し、当該押さえ部は前記段差部に収まる寸法に形成される
ことを特徴とする光電式自動点滅器。
【発明の詳細な説明】
【０００１】
【発明の属する技術分野】
本発明は、建造物などの所定物側面に取り付けられて使用される光電式自動点滅器に関連し、特に、飛行場などの強い風雨に曝される場所での使用に適した光電式自動点滅器に関するものである。
【０００２】
【従来の技術】
図１９は従来の光電式自動点滅器の前面（正面）図、図２０は同光電式自動点滅器の分解斜視図、図２１，図２２は図１９中のカバー等を示す図、図２３は同光電式自動点滅器の使用状態図である。
【０００３】
ただし、図２１（ａ）は固定部材とともに採光板を固定する状態のカバーの正面図、（ｂ）は（ａ）のＡ−Ａ’線から見た断面図、（ｃ）は（ｂ）における「Ｂ部」の拡大図、（ｄ），（ｅ）は採光板の正面および側面図、（ｆ），（ｇ）は一部の固定部材の後面（背面）および側面図を示す。
【０００４】
この光電式自動点滅器は、図２３に示すように、建造物などの所定物側面に取り付けられて使用されるものであり、図１９〜図２２に示すように、後方に開口１ａを有する箱状に形成され矩形状の前面部PA１０に採光窓PA１ｂが穿設された遮光性のカバーPA１と、このカバーPA１の開口１ａを閉塞する形状に形成されカバーPA１とともにハウジングを構成するものであって所定物側面に取り付けられる遮光性のボディ２と、採光窓PA１ｂを閉塞する透光性の採光板PA３と、この採光板PA３をカバー２に固定するための固定部材４とを備えるとともに、採光窓PA１ｂを介して外部に臨む受光素子などを実装したプリント板ブロック６と、その受光素子の出力を利用して負荷（図２３の例では「水銀灯」）のオン／オフ制御を行う電磁開閉器７とをハウジング内部に備えている。図２１，図２２の例において、固定部材４は、一対の止め金具４１および一対の取付ねじ４２により構成されている。また、図２２における採光窓PA１ｂ近傍の斜線領域は、接着剤の塗布箇所を示す。
【０００５】
なお、実開昭６２−１０６４９８号には、センサー部のカバーを取り替え自在に設けた電子式自動点滅器が記載されている。
【０００６】
【発明が解決しようとする課題】
図１９〜図２２に示した従来の光電式自動点滅器では、採光板PA３が固定部材４によってカバーPA１にねじ止め固定されるとともに、接着剤によってカバーPA１に固着されるので、採光窓PA１ｂからハウジング内部に雨水などが浸入するのを防止することができる。
【０００７】
しかしながら、上記光電式自動点滅器では、飛行場などの強い風雨に曝される場所に設置されて使用されると、度重なる強い風圧により外力を受けた際にハウジング内部に至る隙間が生じ、この隙間を通ってハウジング内部に雨水が侵入する場合があった。
【０００８】
本発明は、上記事情に鑑みてなされたものであり、採光板による採光窓の閉塞状態を好適に維持し、高い防水効果が得られる光電式自動点滅器を提供することを目的とする。
【０００９】
【課題を解決するための手段】
上記課題を解決するための請求項１記載の発明の光電式自動点滅器は、後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、前記止め金具は、採光窓の外周に形成された前記段差部に採光板を押し付ける押さえ部を有し、当該押さえ部は前記段差部に収まる寸法に形成されることを特徴とする。
【００１０】
請求項２記載の発明の光電式自動点滅器は、後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、前記カバーは、前記採光窓の上部前方を覆うひさし部を有し、前記止め金具は、採光窓の外周に形成された前記段差部に採光板を押し付ける押さえ部を有し、当該押さえ部は前記段差部に収まる寸法に形成されることを特徴とする。
【００１１】
【発明の実施の形態】
（第１実施形態）
図１は本発明に係る第１実施形態の光電式自動点滅器の分解斜視図、図２は同光電式自動点滅器の前面（正面）図、図３，図４は図１中のカバー等を示す図である。
【００１２】
ただし、図３（ａ）は固定部材とともに採光板を固定する状態のカバーの正面図、（ｂ）は（ａ）のＡ−Ａ’線から見た断面図、（ｃ）は（ｂ）における「Ｂ部」の拡大図、（ｄ），（ｅ）は採光板の正面および側面図、（ｆ），（ｇ）は一部の固定部材の後面（背面）および側面図を示す。図４は後方側から見た固定部材、採光板およびカバーの分解斜視図を示す。
【００１３】
第１実施形態の光電式自動点滅器は、建造物などの所定物側面に取り付けられて使用されるものであり、図１〜図４に示すように、遮光性のカバー１と、遮光性のボディ２と、透光性の採光板３と、固定部材４とを備えているとともに、カバー１およびボディ２により構成されるハウジング内部に、プリント板ブロック６と、電磁開閉器７とを備えている。
【００１４】
カバー１は、後方に開口１ａを有し、前面部１０、左側面部１１、右側面部１２、上側面部１３および下側面部１４により箱状に形成され、前面部１０は上下方向に伸びる矩形状になっている。また、前面部１０には円状の採光窓１ｂが穿設されている。
【００１５】
左側面部１１には上端側から左方に離隔して一対の軸受け部１１１が延出され（図２，図３）、これら一対の軸受け部１１１には上下方向に同軸の軸孔１１１ａが穿設されている（図４）。また、左側面部１１にも下端側から左方に離隔して一対の軸受け部１１２が延出され、これら一対の軸受け部１１２にも上下方向に同軸の軸孔１１２ａが穿設されている。
【００１６】
ただし、図１では、一対の軸受け部１１１および一対の軸受け部１１２の図示を省略してある。また、図２〜図４において、右側面部１２には中央側から右方に軸受け部１２１が延出され、この軸受け部１２１には前後方向に軸孔１２１ａが穿設されているが、この軸受け部１２１は、ボディ１１の右側面部に形成された対応する軸受け部（図２では軸受け部１２１の後方に隠れている）とともに、ハウジングを固定ないし施錠するために使用される。
【００１７】
ボディ２は、カバー１の開口１ａを閉塞する形状に形成され、上記所定物側面に取り付けられる。図１の例では、ボディ２は、前方に開口２ａを有し、底面部２０、左側面部２１、右側面部２２、上側面部２３および下側面部２４により箱状に形成され、底面部２０は上下方向に伸びる矩形状になっている。
【００１８】
ボディ２の左側面部２１には、上端側および下端側から左方に、それぞれ、一対の軸受け部１１１間および一対の軸受け部１１２間に向け、軸受け部２１１および軸受け部２１２が延出され（図２）、これら軸受け部２１１，２１２には、軸孔１１１ａ，１１２ａと同軸の軸孔（図示せず）が穿設されている。これにより、一対の軸受け部１１１および軸受け部２１１の軸孔に、先端に係止機能を持つヘアピン形状の軸ピン８を挿通するとともに、一対の軸受け部１１２および軸受け部２１２の軸孔にも別の軸ピン８を挿通することにより、これら各部は、カバーを開閉するためのヒンジとして機能する。
【００１９】
上側面部２３には左右端側から上方に底面部２０と面一に一対のフランジ部２３１が延設され（図１，図２）、これら一対のフランジ部２３１には前後方向にねじの足部挿通用の挿通孔２３１ａが穿設されている。下側面部２４にも左右端側から下方に底面部２０と面一に一対のフランジ部２４１が延設され、これら一対のフランジ部２４１にも前後方向にねじの足部挿通用の挿通孔２４１ａが穿設されている。これにより、例えば挿通孔２３１ａ，２４１ａに取付ねじの足部を挿通して所定物側面にねじ止めすれば、ボディ２を所定物側面に取り付けることができる。
【００２０】
また、下側面部２４には、電源および負荷（例えば照明灯）からのケーブルをハウジング内部に引き込むための引き込み口２４ａが形成されている。
【００２１】
さらに、ボディ２の内面において、左側面部２１および右側面部２２の中央上方寄りには、底面部２０から開口２ａ近傍に延びるリブ２１１およびリブ２２１がそれぞれ形成され、これらリブ２１１，２２１の前方端面には、ねじ止め用の穴２１１ａ，２２１ａがそれぞれ形成されている。また、左側面部２１および上側面部２３と右側面部２２および上側面部２３の両隅には、底面部２０から開口２ａ近傍に延びるリブ２３２およびリブ２３３がそれぞれ形成され、これらリブ２３２，２３３の前方端面には、ねじ止め用の穴２３２ａ，２３３ａがそれぞれ形成されている。なお、図１中の２０ａ，２０ｂは、取付ねじＳ２用のねじ孔である。
【００２２】
採光板３は、外光をハウジング内部に透過させるとともに採光窓１ｂを閉塞するものであり、図３（ｄ），（ｅ）の例では円板状に形成されている。
【００２３】
固定部材４は、採光板３をカバー１に固定するためのものであり、図４の例では、一対の止め金具４１および一対の取付ねじ４２により構成されている。図３（ｆ），図４において、４１ａは取付ねじ４２の足部挿通用の挿通孔である。
【００２４】
プリント板ブロック６は、上記リブ２１１，２２１，２３２，２３３の穴２１１ａ，２２１ａ，２３２ａ，２３３ａに対応する位置に、それそれ取付ねじＳ１の足部挿通用の挿通孔６０ａ，６０ｂ，６０ｃ，６０ｄが穿設されたプリント基板６０、およびこのプリント基板６０に実装され採光板３を介して外部に臨む受光素子（図示せず）などにより構成される。このプリント板ブロック６は、リブ２１１，２２１，２３２，２３３の各前方端面に載置され、位置合わせ後に取付ねじＳ１でねじ止めされることにより、ボディ２に取り付け固定される。なお、プリント基板６０には、電磁開閉器７からのケーブルや引き込み口２４ａから内部に引き込まれたケーブルなどが接続される。
【００２５】
電磁開閉器７は、上記受光素子の出力を利用して負荷のオン／オフ制御を行うものである。第１実施形態では、図１の例に示す形状のものが使用され、電磁開閉器７は、取付ねじＳ２により、ねじ孔２０ａ，２０ｂの位置でボディ２に取り付け固定されるようになっている。
【００２６】
ここで、第１実施形態の特徴となる構成について説明すると、採光窓１ｂは、前面部１０の両側の両中点を結ぶ線を境に二分される一の領域における中央側領域およびエッジ側領域のうち、一方の側の領域内に収まる寸法に制限されるとともに、そのエッジ側の領域内に位置するようにカバー１の前面部１０に配置される。図２の例では、採光窓１ｂは、カバー１の（開口１ａに対応する）前面部１０における両側の両中点Ｍ１，Ｍ２と、これら両中点Ｍ１，Ｍ２を境に一方（図では上方）の側にある両隅Ｃ１，Ｃ２とを結ぶ２つの対角線Ｌ１，Ｌ２で区切られた４つの領域のうち、一の領域内に収まる寸法に制限されて、各領域のうちエッジ側の領域内に位置するようにカバー１の前面部１０に配置されている。より具体的には、採光窓１ｂは両隅Ｃ１，Ｃ２を含む一の領域内に配置されている。
【００２７】
カバー１は、図３，図４に示すように、自己の前面部１０の内面における採光窓１ｂの外周にその採光窓１ｂよりも一回り大きい段差部１００を有している。この段差部１００の形状は、採光窓１ｂの外周側における前面部１０の内面をリング状に切り欠いた溝構造となっている。また、段差部１００の左方および右方には、それぞれ円柱状の凸部１０１および凸部１０２が後方に延設され、これら凸部１０１，１０２の後方端面には、それぞれ一対の取付ねじ４２のねじ止めのためのねじ穴１０１ａ，１０２ａが形成されている。
【００２８】
採光板３は、段差部１００内に填り込む円状に形成され、その段差部１００内に填め込まれて、固定部材４の一対の止め金具４１および一対の取付ねじ４２によりカバー１に固定され、かつ段差部１００における図４に示す斜線部分に塗布された接着剤によって固着される。なお、一対の止め金具４１は、一段高くなった凸部１０１，１０２のねじ穴１０１ａ，１０２ａにねじ止めされるため、断面Ｌ字状に形成され、採光板３を押さえる押さえ部４１０は、段差部１００のリング状の溝内に収まる寸法に設定される。
【００２９】
このような構造の光電式自動点滅器では、採光窓１ｂが、前面部１０の二分される一の領域における中央側領域およびエッジ側領域のうち、一方の側の領域内に収まる寸法に制限されることにより、採光窓１ｂを閉塞する採光板３全体が受ける風雨などの外圧が下がるから、採光板３による採光窓１ｂの閉塞状態を好適に維持することができる。特に、一方の側の領域内に収まる寸法に制限されることに加え、中央側領域およびエッジ側領域のうち、中央側に比べ前後方向に振動し難く風圧の影響を受け難いエッジ側領域内に位置するように採光窓１ｂがカバー１の前面部１０に設けられることで、採光窓１ｂ全体が風圧の影響を受け難いエッジ側領域内に収まることになるから、その採光窓１ｂを閉塞する採光板３も風圧の影響を受け難くなって、採光板３による採光窓１ｂの閉塞状態がより好適に維持されることとなる。第１実施形態では、採光窓１ｂは、対角線Ｌ１，Ｌ２で区切られた各領域のうち一の領域内に収まる大きさに制限されるとともに、両隅Ｃ１，Ｃ２を含むエッジ側領域内に位置するようにカバー１の前面部１０に設けられるので、デザイン性が向上し、より高い風圧耐性を見込める。
【００３０】
また、採光窓１ｂの外周に形成された段差部１００内に採光板３が填め込まれて固定部材４で固定され、かつ接着剤で固着されることにより、防水効果を高めることができるとともに、上記の高風圧耐性も加わってより高い防水効果が望める。
【００３１】
（第２実施形態）
図５は本発明に係る第２実施形態の光電式自動点滅器の前面図、図６は同光電式自動点滅器の分解斜視図、図７は図６中のカバー等を示す図である。なお、図５，図６，図７はそれぞれ第１実施形態の図２，図１，図３に対応する。
【００３２】
第２実施形態の光電式自動点滅器は、第１実施形態との相違点として、図５〜図７に示すように、カバー１が採光窓１ｂの上部前方を覆うひさし部１０３を有する構造になっている。ひさし部１０３は、図５〜図７の例では、中空の四分の一球状に形成されている。
【００３３】
このような構造の光電式自動点滅器では、ひさし部１０３が採光窓１ｂおよび採光板３に対し防風および防雨の役目を果たすから、より高い風圧耐性が得られるとともに、雨水などが採光窓１ｂおよび採光板３の部分からハウジング内に侵入するのをより好適に防止することができる。
【００３４】
（第１参考例）
図８は光電式自動点滅器の第１参考例の分解斜視図、図９，図１０は図８中のカバー等を示す図である。なお、図８，図９，図１０はそれぞれ第１実施形態の図１，図３，図４に対応し、図９（ｈ），（ｉ）はパッキンの正面および側面図を示す。
【００３５】
第１参考例の光電式自動点滅器は、第１実施形態との相違点として、図８〜図１０に示すように、接着剤の使用に代えて、第一実施形態の段差部１００よりも後方に延出した段差部１００Ａ内に収まる形状に形成され中央に採光窓１ｂに対応する貫通孔５ａを有するパッキン５をさらに備え、採光板３は、パッキン５を間に挟んだ状態で段差部１００Ａ内に填め込まれて固定部材４Ａで固定される構造になっている。
【００３６】
また、図８〜図１０の例では、段差部１００Ａがリング状の突条部となって後方に凸部１０１，１０２の高さまで延出されているので、固定部材４Ａを構成する一対の止め金具４１Ａは平板状に形成されている。
【００３７】
このような構造の光電式自動点滅器では、風圧などで採光板３に外力が加わってもパッキン５によりハウジング内部に連通する隙間が生じ難くなるから、防水効果をより一層高めることができる。
【００３８】
（第２参考例）
図１１は光電式自動点滅器の第２参考例の分解斜視図、図１２，図１３は図１１中のカバー等を示す図である。なお、図１１，図１２，図１３はそれぞれ第１参考例の図８，図９，図１０に対応する。
【００３９】
第２参考例の光電式自動点滅器は、図１１〜図１３に示すように、固定部材４Ｂの止め金具４１Ｂが、採光窓１ｂに対応する貫通孔４１１Ｂを有し採光板３の外周側を覆うリング状に形成され、カバー１の前面部１０の内面に取り付けられることにより、採光板３の外周側全周を押さえてこれを固定する以外は第１参考例と同様に構成されている。なお、図１２（ｆ），図１３中の４１２Ｂは取付ねじ４２の足部挿通用の挿通孔である。
【００４０】
このような構造の光電式自動点滅器では、採光板３が固定部材４Ｂによってカバー１に固定されるとともに、固定部材４Ｂの止め金具４１Ｂによって採光板３の外周側全周が押さえつけられるため、風圧などで採光板に外力が加わってもハウジング内部に連通する隙間が生じ難くなるから、防水効果をより一層高めることができる。
【００４１】
（第３参考例）
図１４は光電式自動点滅器の第３参考例の分解斜視図、図１５は同光電式自動点滅器の前面図、図１６は図１４中のカバー等を示す図である。なお、図１４，図１６はそれぞれ第２参考例の図１１，図１２に対応する。
【００４２】
第３参考例の光電式自動点滅器は、第２参考例との相違点として、図１４〜図１６に示すように、カバー１における採光窓１ｂ前方の外周縁１０４が、前方に向けて径が大きくなるテーパー状になっている。
【００４３】
このような構造の光電式自動点滅器では、カバー１における採光窓１ｂ前方のテーパー状の外周縁１０４に沿って雨水が外方に流れやすくなるから、カバー１における採光窓１ｂの部分に雨水が溜まるのを防止することができる。
【００４４】
（第４参考例）
図１７は光電式自動点滅器の第４参考例の分解斜視図、図１８は図１７中のカバーおよびボディの嵌合構造を示す図である。ただし、図１８（ａ）は同光電式自動点滅器の一部切欠き前面図、（ｂ）は（ａ）のＡ１−Ａ１’線から見た断面図、（ｃ）は（ｂ）における「Ｃ部」の拡大図である。
【００４５】
第４参考例の光電式自動点滅器は、図１７に示すように、第３参考例とほぼ同様に構成され、図１８に示すように、カバー１の開口縁部１０５とボディ２の開口縁部２００とが凹凸嵌合により一体となってハウジングを構成し、それら凹凸嵌合間にロ字状のパッキン８を備え、下方に位置する凸形状の開口縁部側に水抜き用の溝が形成されている。図１８の例では、カバー１の開口縁部１０５が凹形状に、そしてボディ２の開口縁部２００が凸形状になっており、下方に位置する凸形状の開口縁部２００の左右両側に水抜き用の溝２００ａが形成されている。
【００４６】
このような構造の光電式自動点滅器では、仮にハウジング内部に雨水が侵入したとしても、侵入した雨水を水抜き用の溝２００ａから外部に排出することができる。この場合、水抜き用の溝２００ａを虫が内部に侵入することができない寸法に設定するのがより望ましい。
【００４７】
【発明の効果】
以上のことから明らかなように、請求項１記載の発明は、後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、前記止め金具は、採光窓の外周に形成された前記段差部に採光板を押し付ける押さえ部を有し、当該押さえ部は前記段差部に収まる寸法に形成されるので、採光窓が、一の領域内に収まる寸法に制限されることにより、採光窓を閉塞する採光板全体が受ける風雨などの外圧が下がるから、採光板による採光窓の閉塞状態を好適に維持することができる。特に、一の領域内に収まる寸法に制限されることに加え、カバーの中央側に比べて、前後方向に振動し難く風圧の影響を受け難いカバーのエッジ側に位置するように採光窓が設けられることで、採光窓全体が風圧の影響を受け難いエッジ側に収まることになるから、その採光窓を閉塞する採光板も風圧の影響を受け難くなって、採光板による採光窓の閉塞状態がより好適に維持されることとなる。また、採光窓の外周に形成された段差部内に採光板が填め込まれて固定部材で固定されることにより、防水効果を高めることができるとともに、上記の高風圧耐性も加わってより高い防水効果が望める。
【００４８】
請求項２記載の発明は、後方に開口を有する箱状に形成され矩形状の前面部に採光窓が穿設された遮光性のカバーと、このカバーの開口を閉塞する形状に形成され前記カバーとともにハウジングを構成するものであって所定物側面に取り付けられる遮光性のボディと、前記採光窓を閉塞する透光性の採光板と、この採光板を前記カバーに固定するための止め金具および取付ねじとを備えるとともに、前記採光窓を介して外部に臨む受光素子と、この受光素子の出力を利用して負荷のオン／オフ制御を行う電磁開閉器とを前記ハウジング内部に備え、前記採光窓は、カバーの前面部における両側の両中点を結ぶ線と、前記両中点を結ぶ線を境にカバーの前面部の一方の側にあるカバーの両隅と前記両中点とを結ぶ２つの対角線とで区切られた前記前面部の４つの領域のうち、前記両隅を含むカバーのエッジ側の一の領域内に収まる寸法に制限されるとともに、前記一の領域内に位置するように前記カバーの前面部に配置され、前記カバーは、自己の前面部の内面における前記採光窓の外周にその採光窓よりも大きい段差部を有し、前記採光板は、前記段差部内に填り込む形状に形成され、その段差部内に填め込まれて前記止め金具および取付ねじで固定され、かつ接着剤によって固着され、前記カバーは、前記採光窓の上部前方を覆うひさし部を有し、前記止め金具は、採光窓の外周に形成された前記段差部に採光板を押し付ける押さえ部を有し、当該押さえ部は前記段差部に収まる寸法に形成されるので、採光窓が、一の領域内に収まる寸法に制限されることにより、採光窓を閉塞する採光板全体が受ける風雨などの外圧が下がるから、採光板による採光窓の閉塞状態を好適に維持することができる。特に、一の領域内に収まる寸法に制限されることに加え、カバーの中央側に比べて、前後方向に振動し難く風圧の影響を受け難いカバーのエッジ側に位置するように採光窓が設けられることで、採光窓全体が風圧の影響を受け難いエッジ側に収まることになるから、その採光窓を閉塞する採光板も風圧の影響を受け難くなって、採光板による採光窓の閉塞状態がより好適に維持されることとなる。また、採光窓の外周に形成された段差部内に採光板が填め込まれて固定部材で固定されることにより、防水効果を高めることができるとともに、上記の高風圧耐性も加わってより高い防水効果が望める。さらに、ひさし部が採光窓および採光板に対し防風および防雨の役目を果たすから、より高い風圧耐性が得られるとともに、雨水などが採光窓および採光板の部分からハウジング内に侵入するのをより好適に防止することができる。
【図面の簡単な説明】
【図１】  本発明に係る第１実施形態の光電式自動点滅器の分解斜視図である。
【図２】  同光電式自動点滅器の前面図である。
【図３】  図１中のカバー等を示す図である。
【図４】  図１中のカバー等を示す図である。
【図５】  本発明に係る第２実施形態の光電式自動点滅器の前面図である。
【図６】  同光電式自動点滅器の分解斜視図である。
【図７】  図６中のカバー等を示す図である。
【図８】  第１参考例の光電式自動点滅器の分解斜視図である。
【図９】  図８中のカバー等を示す図である。
【図１０】  図８中のカバー等を示す図である。
【図１１】  第２参考例の光電式自動点滅器の分解斜視図である。
【図１２】  図１１中のカバー等を示す図である。
【図１３】  図１１中のカバー等を示す図である。
【図１４】  第３参考例の光電式自動点滅器の分解斜視図である。
【図１５】  同光電式自動点滅器の前面図ある。
【図１６】  図１４中のカバー等を示す図である。
【図１７】  第４参考例の光電式自動点滅器の分解斜視図である。
【図１８】  図１７中のカバーおよびボディの嵌合構造を示す図である。
【図１９】  従来の光電式自動点滅器の前面図である。
【図２０】  同光電式自動点滅器の分解斜視図である。
【図２１】  図１９中のカバー等を示す図である。
【図２２】  図１９中のカバー等を示す図である。
【図２３】  同光電式自動点滅器の使用状態図である。
【符号の説明】
１  カバー
１ａ  開口
１ｂ  採光窓
１０  前面部
１００，１００Ａ  段差部
１０３  ひさし部
１０５  開口縁部
２  ボディ
２００  開口縁部
３  採光板
４  固定部材
５  パッキン
６  プリント板ブロック
７  電磁開閉器
８  パッキン
【図１】
0004280015.tif 000002
【図２】
0004280015.tif 000003
【図３】
0004280015.tif 000004
【図４】
0004280015.tif 000005
【図５】
0004280015.tif 000006
【図６】
0004280015.tif 000007
【図７】
0004280015.tif 000008
【図８】
0004280015.tif 000009
【図９】
0004280015.tif 000010
【図１０】
0004280015.tif 000011
【図１１】
0004280015.tif 000012
【図１２】
0004280015.tif 000013
【図１３】
0004280015.tif 000014
【図１４】
0004280015.tif 000015
【図１５】
0004280015.tif 000016
【図１６】
0004280015.tif 000017
【図１７】
0004280015.tif 000018
【図１８】
0004280015.tif 000019
【図１９】
0004280015.tif 000020
【図２０】
0004280015.tif 000021
【図２１】
0004280015.tif 000022
【図２２】
0004280015.tif 000023
【図２３】
0004280015.tif 000024